(57)【要約】【課題】もみあげや毛の生え際などの頭髪の細かい部分に毛髪処理剤を塗布する際の作業性や塗布精度を向上させることができる毛髪処理剤塗布具を提供すること。【解決手段】柄部２と、該柄部２の先端部分に設けられた支持基部３と、支持基部３に支持させて設けられた櫛部４、第１塗布部５及び第２塗布部６を有する毛髪処理剤塗布具１であり、櫛部４は、柄部２の長手方向Ｘに沿って設けられ、第１塗布部５は、支持基部３を挟んで櫛部４とは反対側に、柄部２の長手方向Ｘに沿って設けられ、第２塗布部６は、毛髪処理剤塗布具の先端部分１ａに形成され、第２塗布部６は第１塗布部５より短い長さであり、第２塗布部６は、柄部２の長手方向Ｘと直交する直交方向Ｚ’における中心位置Ｃ６が、柄部２の回転軸Ｓから直交方向Ｚ’に離間している。【選択図】図２
2017070625.tif 000002
【特許請求の範囲】
【請求項１】
柄部と、該柄部の先端部分に設けられた支持基部と、該支持基部に支持させて設けられた櫛部、第１塗布部及び第２塗布部を有する毛髪処理剤塗布具であって、
前記櫛部は、前記柄部の長手方向に沿って設けられ、第１塗布部は、前記支持基部を挟んで該櫛部とは反対側に、前記柄部の長手方向に沿って設けられ、第２塗布部は、毛髪処理剤塗布具の先端部分に形成され、第２塗布部の長手方向の長さは、第１塗布部の長手方向の長さより短い長さであり、
第２塗布部は、前記柄部の長手方向と直交する直交方向における中心位置が、前記柄部の回転軸から該直交方向に離間している、毛髪処理剤塗布具。
【請求項２】
第２塗布部の前記中心位置は、前記柄部の回転軸に対して第１塗布部に近づく側に離間している、請求項１に記載の毛髪処理剤塗布具。
【請求項３】
第２塗布部の全体が、前記柄部の回転軸より第１塗布部側に位置する、請求項２に記載の毛髪処理剤塗布具。
【請求項４】
第２塗布部の前記中心位置は、前記柄部の回転軸からの離間距離が２ｍｍ以上３０ｍｍ以下である、請求項１〜３の何れか１項に記載の毛髪処理剤塗布具。
【請求項５】
第２塗布部の基台部の長手方向の端面が、第１塗布部の基面に達していない、請求項１〜４の何れか１項に記載の毛髪処理剤塗布具。
【請求項６】
第２塗布部の基台部の長手方向の端面が、前記櫛部の基面に達していない、請求項１〜５の何れか１項に記載の毛髪処理剤塗布具。
【請求項７】
前記柄部の回転軸を介して、前記櫛部の先端と前記第１塗布部の先端までの距離が最大となる柄部の回転軸の位置において、前記柄部の回転軸から前記櫛部の先端までの距離と、該柄部の回転軸から第１塗布部の先端までの距離が等しい、請求項１〜６の何れか１項に記載の毛髪処理剤塗布具。
【請求項８】
前記櫛部の基面が、毛髪処理剤塗布具の先端部分に近づくにつれて第１塗布部に近づくように、前記柄部の回転軸に対して傾斜している、請求項１〜７の何れか１項に記載の毛髪処理剤塗布具。
【請求項９】
前記第１塗布部の基面の、前記柄部の回転軸に対する傾斜角度は、前記櫛部の基面の、前記柄部の回転軸に対する傾斜角度よりも小さい、請求項１〜８の何れか１項に記載の毛髪処理剤塗布具。
【請求項１０】
第１塗布部が、ブラシ台の長さ方向に所定の間隔をおいて配置された複数本のブラシ歯からなるブラシ歯列を、該ブラシ台の幅方向に３列以上有するブラシ部である、請求項１〜９の何れか１項に記載の毛髪処理剤塗布具。
【請求項１１】
第２塗布部が、基台部と該基台部から突出する複数の毛束を備えた刷毛部、又は基台部と該基台部から突出する複数のブラシ歯を備えたブラシ部である、請求項１〜１０の何れか１項に記載の毛髪処理剤塗布具。
【発明の詳細な説明】
【技術分野】
【０００１】
本発明は、毛髪処理剤塗布具に関する。
【背景技術】
【０００２】
毛髪処理剤として、例えば染毛剤、脱色剤、トリートメント剤、パーマ剤、マニキュア剤等は、これらを毛髪に塗布する際に、直接手で塗布したり、手袋をはめて塗布したり、ブラシやコーム等の塗布具を用いて塗布したりするのが一般的である。
また毛髪処理剤の塗布作業を容易に行えるようにする毛髪処理剤塗布具として、櫛部とブラシ部との両者を備えたものも種々提案されている。例えば、特許文献１には、柄の先端部に、一体に形成された櫛部と、多数の突起が突設されたブラシ部とを有し、ブラシ部に、クリーム状の染毛剤を垂れないように載置可能なものが記載されており、その提案に係る毛髪処理剤塗布具によれば、ブラシ部に染毛剤を載せて毛髪を梳くことで染毛剤を塗布し、その後、櫛部により毛髪を梳くことで更に染毛剤を毛髪全体に行き渡らせることができることが記載されている。また特許文献２にも、櫛部とブラシ部とを備えた毛髪処理剤塗布具が記載されている。
【先行技術文献】
【特許文献】
【０００３】
【特許文献１】特開２０００−１６６６３５号公報
【特許文献２】意匠登録第１３７２５６２号公報
【発明の概要】
【発明が解決しようとする課題】
【０００４】
しかしながら、前述した特許文献１及び２に記載の毛髪処理剤塗布具は、頭部の広い範囲の毛髪に毛髪処理剤を塗り拡げる点においては優れているが、もみあげや毛の生え際などの頭髪の細かい部分に毛髪処理剤を塗布する場合の作業性や塗布精度については改善の余地があった。
【０００５】
本発明は、前述した従来技術が有する課題を解決し得る毛髪処理剤塗布具を提供することに関する。
【課題を解決するための手段】
【０００６】
本発明は、柄部と、該柄部の先端部分に設けられた支持基部と、該支持基部に支持させて設けられた櫛部、第１塗布部及び第２塗布部を有する毛髪処理剤塗布具であって、前記櫛部は、前記柄部の長手方向に沿って設けられ、第１塗布部は、前記支持基部を挟んで該櫛部とは反対側に、前記柄部の長手方向に沿って設けられ、第２塗布部は、毛髪処理剤塗布具の先端部分に形成され、第２塗布部の長さは、第１塗布部の長さより短い長さであり、第２塗布部は、前記柄部の長手方向と直交する直交方向における中心位置が、前記柄部の回転軸から該直交方向に離間している、毛髪処理剤塗布具を提供するものである。
【発明の効果】
【０００７】
本発明の毛髪処理剤塗布具によれば、もみあげや毛の生え際などの頭髪の細かい部分に毛髪処理剤を塗布する際の作業性や塗布精度を向上させることができる。
【図面の簡単な説明】
【０００８】
【図１】図１は、本発明の毛髪処理剤塗布具の一実施形態を示す斜視図である。
【図２】図２は、図１に示す毛髪処理剤塗布具の側面図である。
【図３】図３は、図１に示す毛髪処理剤塗布具の第１塗布部上に、二剤式毛髪処理剤の第１剤と第２剤とを並べて載置した状態を示す、第１塗布部の上面図である。
【図４】図４は、本発明の毛髪処理剤塗布具をモデル化して示す作用効果の模式的な説明図である。
【図５】図５は、本発明の毛髪処理剤塗布具をモデル化して示す作用効果の模試的な説明図である
【発明を実施するための形態】
【０００９】
以下、本発明をその好ましい実施形態に基づき図面を参照しながら説明する。
本発明の好ましい一実施形態に係る毛髪処理剤塗布具１は、図１及び図２に示すように、柄部２と、柄部２の先端部分に設けられた支持基部３と、支持基部３に支持させて設けられた櫛部４、第１塗布部５及び第２塗布部６を有する。
柄部２は、毛髪処理剤塗布具１を用いて毛髪に対して毛髪処理剤の塗布作業を行う際に片手で把持する部分であり、本実施形態の毛髪処理剤塗布具１における柄部２は、図２中、Ｘで示す方向に長い形状の平板状をなし、図１及び図２に示すように、その長手方向に直交する断面形状が、上下方向Ｚに長い扁平な形状を有している。また柄部２は、上下方向Ｚにおいて略対称の形状を有し、また、その上下方向Ｚに直交する方向Ｙにおいても略対称の形状を有している。本明細書において、上下方向、上側及び下側は、図１及び図２に示すように、柄部２の長手方向Ｘを水平とし、毛髪処理剤塗布具１における櫛部４側を鉛直下側、第１塗布部５を鉛直上側としたときの上下方向、上側及び下側である。
【００１０】
本実施形態の毛髪処理剤塗布具１について更に説明すると、支持基部３は、柄部２と連続する平板状をなし、柄部２の先端部分に一体に設けられている。支持基部３は、毛髪処理剤塗布具１の後端１ｂ側から先端１ａ側に向かって上下方向の高さが漸減している。他方、柄部２は、支持基部３の近傍に上下方向の高さが最小の部位を有し、毛髪処理剤塗布具１の後端１ｂに向かって高さが漸増している。柄部２は、長手方向Ｘに亘って上下方向の高さが均一であっても良い。
【００１１】
櫛部４は、柄部２の長手方向Ｘに沿って設けられている。第１塗布部５も、柄部２の長手方向Ｘに沿って設けられている。第１塗布部５は、支持基部３を挟んで櫛部４とは反対側に設けられている。柄部２の長手方向Ｘに沿って設けられているという表現に、柄部２の後述する回転軸Ｓに対して、櫛部４や第１塗布部５が平行である場合に限定する意図ではなく、櫛部４や第１塗布部５の延在方向が、概ね柄部２の長手方向Ｘに沿っていることを意味する。
【００１２】
櫛部４は、図１に示すように、支持基部３の下縁部に沿って一体に設けられた支持基部３より方向Ｙに幅広の櫛歯台４１と、櫛歯台４１に、その長手方向に間隔をおいて突設された複数の櫛歯４２とからなる。
第１塗布部５は、図１に示すように、ブラシ台５１の長さ方向Ｘ’に所定の間隔をおいて配置された複数本のブラシ歯５２からなるブラシ歯列５３を、ブラシ台５１の幅方向Ｙ’に３列以上有するブラシ部である。より具体的には、ブラシ歯列５３を、ブラシ台５１の幅方向Ｙ’に５列有しており、その内の中央３列は、両端の２列よりもブラシ歯５２の高さが低くなっている。
本実施形態における第１塗布部５は、斯かる構成を有することによって、毛髪処理剤を垂れないように載せることができるようになっており、更には、ブラシ台５１の幅方向Ｙ’に、二剤式の毛髪処理剤を構成する２剤、例えば、アルカリ剤を含有する第１剤７ａと酸化剤を含有する第２剤７ｂとを並列状態で載せることができるようになっている（図３参照）。
【００１３】
また、本実施形態における第１塗布部５は、ブラシ台５１の長さ方向Ｘ’の両端部に、ブラシ台５１の幅方向Ｙ’に所定の間隔をおいて配置された複数本のブラシ歯５５からなる幅方向ブラシ歯列５４を有している（図３参照）。幅方向ブラシ歯列５４は、前記中央３列のブラシ歯列５３のブラシ歯よりも、ブラシ歯５５の高さが高くなっており、ブラシ台５１の中央部に、高さの高いブラシ歯を有する２列のブラシ歯列５３と２列の幅方向ブラシ歯列５４とに囲まれた凹部５６が形成されている。これにより、第１塗布部５に載せた毛髪処理剤が一層垂れ落ちにくくなる。
なお、ブラシ台５１は、長さ方向Ｘ’及び幅方向Ｙ’を有し、処理剤塗布具１を上側から視たとき、ブラシ台５１の長さ方向Ｘ’が、柄部２の長手方向Ｘと一致している。
【００１４】
本実施形態における第２塗布部６は、図１に示すように、基台部６１と、基台部６１から突出する複数の毛束６２を備えた刷毛部である。
第２塗布部６の基台部６１は、図２に示すように、柄部２の長手方向Ｘと直交する直交方向Ｚ’、より具体的には前述した上下方向Ｚに沿って延びており、その基台部６１の延在方向に沿って複数の毛束６２が所定の間隔で直列状態に配置されている。図２に示す基台部６１は、毛髪処理剤塗布具１の先端側から視て、角部を丸めた長方形状であるが、楕円形、長円形等、他の任意の形状に変更可能である。
第２塗布部６の毛束６２は、それぞれの一端が基台部６１に設けた固定用孔内に挿入されて固定されている。毛束６２の固定方法としては、熱融着、接着剤、平線を用いた固定等の任意の方法を採用可能である。毛束６２は、ポリオレフィン、ポリエステル、ナイロン等の合成樹脂製の細毛の束であり、可撓性を有することが好ましい。なお、後述のように、第２塗布部は、基台部６１から突出する複数のブラシ歯を備えたブラシ部であっても良い。
【００１５】
第２塗布部６は、第１塗布部５で毛髪処理剤を塗布する範囲に比して狭い範囲に毛髪処理剤を塗布し易くするものであり、例えば、もみあげや毛の生え際などの頭髪の細かい部分に毛髪処理剤を塗布する際に利用する。
第２塗布部６は、図１に示すように、毛髪処理剤塗布具１の先端部分１ａに形成されている。また、第２塗布部６の長手方向の長さＬ６（以下、単に第２塗布部の長さＬ６と称する場合もある）は、第１塗布部５の長手方向の長さＬ５（以下、単に第１塗布部の長さＬ５と称する場合もある）より短い長さである。第２塗布部６の長さＬ６が第１塗布部５の長さＬ５より短いことで、頭髪の細かい部分に対する毛髪処理剤の塗布が容易となる。
【００１６】
本実施形態では、第２塗布部６の長さＬ６は、柄部２の長手方向Ｘと直交する直交方向Ｚ’に沿う長さであり、前述した上下方向Ｚに沿う長さでもある。第２塗布部６の長さＬ６は、図２に示すように、毛束やブラシ歯の根元部分６ｂにおいて、前記直交方向Ｚ’の一端に位置する毛束やブラシ歯の外側端部から該直交方向Ｚ’の他端に位置する毛束やブラシ歯の外側端部までの距離を測定する。他方、第１塗布部５の長さＬ５は、第１塗布部５の基面５８に沿って測定する。第１塗布部５の基面５８は、ブラシ歯５２が突出するブラシ台５１の上面である。本実施形態におけるブラシ台５１の上面は、平面状であり、柄部２の回転軸Ｓを含む平面による断面形状が直線状であり、第１塗布部５の長さＬ５は、該ブラシ台５１の上面に沿って測定するが、当該断面形状が凸状又は凹状に湾曲している場合は、柄部２の長手方向Ｘの一端に位置するブラシ歯５５ａ又は毛束の外側端部から該長手方向Ｘの他端に位置するブラシ歯５５ｂ又は毛束の外側端部までの距離Ｌ５を測定する。なお、櫛部４の長さＬ４も同様であり、櫛歯台４１の基面４８に沿って測定する。櫛部４の基面４８は、櫛歯４２が突出する櫛歯台４１の上面（櫛歯４２が突出する方向を上とした場合）であるが、該上面の、柄部２の回転軸Ｓを含む平面による断面形状が凸状又は凹状に湾曲している場合は、柄部２の長手方向Ｘの一端に位置する櫛歯４２ａの外側端部から該長手方向Ｘの他端に位置する櫛歯４２ｂの外側端部までの距離Ｌ４を測定する。
【００１７】
広い範囲に塗布する場合の作業性と細かい部分に塗布する場合の作業性とを両立させる観点から、第２塗布部６の長さＬ６は、第１塗布部５の長さＬ５の、５％以上６０％以下であることが好ましく、より好ましくは１０％以上４０％以下である。また、同様の観点から、第２塗布部６は、柄部２の厚み方向Ｙに沿う幅が、第１塗布部５よりも狭いことが好ましい。
【００１８】
また、本実施形態における第２塗布部６は、柄部２の長手方向Ｘと直交する直交方向Ｚ’における中心位置Ｃ６（図２参照）が、柄部２の回転軸Ｓから該直交方向Ｚ’に離間している。より詳細には、第２塗布部６は、上下方向Ｚにおける中心位置Ｃ６（図２参照）が、柄部２の回転軸Ｓから該上下方向Ｚに離間している。本実施形態の第２塗布部６における中心位置Ｃ６は、第２塗布部６の前記長さＬ６を２等分する位置である。
第２塗布部６には、例えば、毛髪処理剤を収容したトレー内に第２塗布部６を挿入して毛髪処理剤を付着させ、その毛髪処理剤を第２塗布部６に付着した状態で、頭髪に運んで頭髪に塗布する。
このとき、第２塗布部６の中心位置Ｃ６が柄部２の回転軸Ｓから離間していると、柄部２を把持している片手により柄部２を回転させるだけで、図４に示すように、第２塗布部６を、円弧を描くように移動させることができる。例えば、柄部２自体の移動を抑制しつつ柄部２を回転させて塗布することにより、柄部２の移動時に生じるブレを抑制しながら毛髪処理剤を所望の部位に高精度に塗布することができる。また、塗布しにくい部位などに対しても、柄部２を回転させることや、柄部２の移動と回転とを組み合わせることで、塗布作業が簡単になる。
【００１９】
また、第２塗布部６の中心位置Ｃ６が柄部２の回転軸Ｓから離間していると、図５に示すように、第２塗布部６を頭髪に当てたときに、頭髪から加わる荷重Ｆにより、柄部２を回転させようとするモーメントが働く。モーメントは、回転軸Ｓからの離間距離に比例して大きくなり、増幅されて柄部２に伝達される。そのため、柄部２を把持して塗布作業を行っている使用者は、第２塗布部６が頭髪に接触していることを認知し易くなり、微細な部分に塗布する際に、第２塗布部６の頭髪に対するあて具合を調整し易くなる。
本実施形態の毛髪処理剤塗布具１によれば、このような作用により、もみあげや毛の生え際などの頭髪の細かい部分に毛髪処理剤を塗布する場合の作業性や塗布精度を向上させることができる。
【００２０】
柄部２の回転軸Ｓは、以下のように定義される。
図２に示すように、手８で柄部２を把持する範囲のうち、より毛髪処理剤塗布具１の先端１ａに近い位置Ｐ１における柄部２の高さ方向の中心位置Ｍ１と、より毛髪処理剤塗布具１の後端１ｂに近い位置Ｐ２における柄部２の高さ方向の中心位置Ｍ２とを通る直線を、柄部２の回転軸Ｓとする。ここで、髪処理剤塗布具１の後端１ｂに近い位置Ｐ２は、手８で柄部２を把持して楽に回転できる位置であり、先端１ａに近い位置Ｐ１からの距離（Ｌ８）が、成人の親指先端から中指の腹の中央までの標準的な寸法である３５ｍｍ〜５５ｍｍとなる位置である。即ち、第２塗布部６の中心位置Ｃ６は、髪処理剤塗布具１の後端１ｂに近い位置Ｐ２を、先端１ａに近い位置Ｐ１からの距離Ｌ８が３５〜５５ｍｍの範囲内となる任意の位置（好ましくは距離Ｌ８が４５ｍｍとなる位置）に設定し、その位置における中心位置Ｍ２を利用して回転軸Ｓを定めたときに、当該回転軸Ｓから離間していればよく、また、その第２塗布部６の中心位置Ｃ６は、当該回転軸Ｓから第１塗布部５に近づく側に離間していることが好ましい。なお、第２塗布部６の中心位置Ｃ６は、髪処理剤塗布具１の後端１ｂに近い位置Ｐ２を、先端１ａに近い位置Ｐ１からの距離Ｌ８が３５〜５５ｍｍの範囲内となる、いずれの位置に設定しても、回転軸Ｓから第１塗布部５に近づく側に離間していることが更に好ましい。
一方、毛髪処理剤塗布具１の先端１ａに近い位置Ｐ１は、柄部２の形状にもよるが、本実施形態では、毛髪処理剤塗布具１の後端１ｂに向かって高さが漸増し始める位置である。なお、柄部２が長手方向Ｘに亘って上下方向の高さが均一の場合には、先端１ａに近い位置Ｐ１は、柄部２と支持基部３との境界である。
なお、櫛部４の後端部及び第１塗布部５の後端部のうち、より毛髪処理剤塗布具１の後端１ｂに近い方の後端部から、後端１ｂ側に長手方向Ｘに１５ｍｍ離間した位置を、先端１ａに近い位置Ｐ１としても良い。櫛部４が櫛歯台４１を有する場合、櫛部４の後端部は、該櫛歯台４１の後端部であり、第１塗布部５がブラシ台５１を有する場合、第１塗布部５の後端部は、該ブラシ台５１の後端部である。
【００２１】
本実施形態の毛髪処理剤塗布具１においては、第２塗布部６の中心位置Ｃ６が、図２に示すように、柄部２の回転軸Ｓに対して第１塗布部５に近づく側に離間している。これにより、第１塗布部５の上面に毛髪処理剤が載置されている場合であっても、毛髪処理剤をこぼすことなく、柄部２を回転させて、第２塗布部６による毛髪への毛髪処理剤の塗布が可能となる。
更に第２塗布部６は、その全体が、柄部２の回転軸Ｓより第１塗布部５側に位置することが好ましい。第２塗布部６の全体が、柄部２の回転軸Ｓより第１塗布部５側に位置するか否かは、毛束やブラシ歯の先端部分６ａではなく、毛束やブラシ歯の根元部分６ｂが、柄部２の回転軸Ｓより第１塗布部５側に位置するか否かで判断する。
【００２２】
また上述した一又は二以上の効果がより確実に奏されるようにする観点から、第２塗布部６の中心位置Ｃ６は、柄部２の回転軸Ｓからの離間距離Ｌ７が、好ましくは２ｍｍ以上、より好ましくは５ｍｍ以上であり、また好ましくは３０ｍｍ以下、より好ましくは１５ｍｍ以下であり、また好ましくは２ｍｍ以上３０ｍｍ以下、より好ましくは５ｍｍ以上１５ｍｍ以下である。本実施形態では、７．５ｍｍである。
【００２３】
また毛髪処理剤塗布具１は、直交方向Ｚ’又は上下方向Ｚにおいて、第２塗布部６の基台部６１の長手方向の端面６ｃが、第１塗布部５の基面５８に達していないことが、第１塗布部５による塗布作業中に頭髪に第２塗布部６が触れないようにする観点から好ましい。
【００２４】
また毛髪処理剤塗布具１は、直交方向Ｚ’又は上下方向Ｚにおいて、第２塗布部６の基台部６１の長手方向の端面６ｄが、櫛歯の基面４８に達していないことが、第２塗布部６による塗布作業中に頭髪に櫛部４が触れないようにする観点から好ましい。
第２塗布部６の基台部６１の長手方向の端面は、櫛歯の基面４８及び第１塗布部５の基面５８の何れにも達していないことが好ましい。第１塗布部５の基面５８は、前述したように、ブラシ歯５２が突出するブラシ台５１の上面であり、櫛部４の基面４８は、櫛歯４２が突出する櫛歯台４１の上面（櫛歯４２が突出する方向を上とした場合）である。
【００２５】
本実施形態の毛髪処理剤塗布具１においては、図２に示すように、前記柄部の回転軸Ｓを介して、前記櫛部の先端と前記第１塗布部の先端までの距離が最大となる柄部の回転軸Ｓの位置Ｏ（図２参照）において、柄部２の回転軸Ｓから櫛部４の先端までの距離Ｌｄと、柄部２の回転軸Ｓから第１塗布部５の先端までの距離Ｌｕが等しい。図２では毛髪処理剤塗布具１の最も後端１ｂ側の櫛歯４２先端とブラシ歯５５の先端までの距離が最大になるように描いているが、回転軸Ｓ上の別の箇所で最大になるように設計しても良い。
斯かる構成により、櫛部４と第１塗布部５とを順次使用する際の使い易さが向上する。すなわち、柄部２を回転させながら櫛部４と第１塗布部５とを順次使用する際に、柄部の回転軸Ｓを介して、前記櫛部の先端と前記第１塗布部の先端までの距離が最大となる柄部の回転軸Ｓの位置Ｏで櫛部４または第１塗布部５が毛髪に最初に接触し、接触した感触を使用者が認識することにより、毛髪処理剤の塗布を行うことができる。また、柄部２の回転軸Ｓから櫛部４の先端までの距離Ｌｄと、柄部２の回転軸Ｓから第１塗布部５の先端までの距離Ｌｕが等しいため、手を大きく動かすことなく柄部２の回転のみで、櫛部４と第１塗布部５とを順次使用することが可能となる。
【００２６】
また本実施形態の毛髪処理剤塗布具１においては、櫛部４の基面４８が、毛髪処理剤塗布具１の先端部分に近づくにつれて第１塗布部５に近づくように、柄部２の回転軸Ｓに対して傾斜している。これにより、櫛部４を毛髪に当てて梳る際に、柄部２は毛髪から離れたところに位置することになる為、毛髪に塗布されたか又は櫛部４に付着した毛髪処理剤が、柄部２を把持している手に付着することを防ぐことができる。
【００２７】
櫛部４の基面４８の、柄部２の回転軸Ｓに対する傾斜角度θ２は、２°以上３０°以下が好ましく、より好ましくは５°以上２０°以下である。本実施形態では傾斜角度θ２は、９°である。
他方、第１塗布部５の基面５８の、柄部２の回転軸Ｓに対する傾斜角度θ１は、傾斜角度θ２よりも小さいことが好ましい。第１塗布部５の基面５８は、毛髪処理剤塗布具１の先端部分に近づくにつれて柄部２の回転軸Ｓに近づくように該回転軸Ｓに対して傾斜していても良いし、柄部２の回転軸Ｓと略平行であっても良い。
これにより、使用者は、第１塗布部５を上方に向けた状態で、毛髪処理剤を、当該第１塗布部５の上面に、量や位置等を視認しながら容易に載置させることができる。第１塗布部５の基面５８の、柄部２の回転軸Ｓに対する傾斜角度θ１は、０°以上２０°以下が好ましく、より好ましくは０°以上１０°以下が好ましい。本実施形態では、傾斜角度θ１は６°である。
【００２８】
また本実施形態の毛髪処理剤塗布具１においては、第１塗布部５が、複数本のブラシ歯からなるブラシ歯列を３列以上有するブラシ部であるため、第１塗布部５上に毛髪処理剤を直接載せて塗布作業を行うことができる。これにより、第１塗布部５により広い範囲に塗布した後、細かい部分に第２塗布部６で塗布する等、両者を使い分けて効率的な毛髪処理剤の塗布作業を行うことができる。
本実施形態の毛髪処理剤塗布具１によれば、このように、使用者は、柄部２を手で把持して、毛髪処理剤塗布具１を移動させたり柄部２を回転させたりしながら、櫛部４、第１塗布部５及び第２塗布部６の各々を、頭皮と対向させるように配置して、毛髪を掻き分ける操作や、毛髪を梳かす操作や、毛髪の細かい部分を梳かす操作を、容易に行うことができる。
また本実施形態の毛髪処理剤塗布具１は、好ましくはその全体がプラスチック製であるが、一部にそのプラスチック以外の材を用いることも可能である。
【００２９】
本実施形態の毛髪処理剤塗布具１は、柄部２を手で把持し、第１塗布部５を上方に向けた状態で、例えば特開２００２−１１９３２８号公報や特開２００３−２０５９８３号公報に記載の２連エアゾール容器から、２剤式の毛髪処理剤である染毛剤の、例えばアルカリ剤及び染料を含有する第１剤と、酸化剤である過酸化水素を含有する第２剤とを、好ましくはクリーム状や泡状にして吐出することで、図３に示すように、吐出させた第１剤及び第２剤を、第１塗布部５の長さ方向Ｘ’に延設させると共に、第１塗布部５の幅方向Ｙ’に並べた状態で、当該第１塗布部５の上面に載置させることができる。これによって、混合前の第１剤及び第２剤の各々の品質や量を、視認によって容易に確認することが可能である。そして、第１塗布部５を頭髪に押し付けた状態で、好ましくは第１塗布部５の幅方向に第１塗布部５をスライド移動させることによって、第１剤と第２剤とを混合させながら、染毛剤をなじませるようにして毛髪に塗布することも可能である。
【００３０】
また、使用者は、毛髪処理剤塗布具１の第２塗布部６を用いて、例えば毛髪に塗布された染毛剤を掬い取って、毛の生え際や、もみあげ部等の、細かい部分の毛髪になじませるようにして染毛剤を塗布することによって、これらの細かい部分の毛髪を、容易に処理することも可能になる。
前述した通り、第２塗布部６によりトレー等から染毛剤を掬い取って、頭髪の細かい部分に塗布することもできる。
【００３１】
なお、本発明は上記実施形態に限定されることなく種々の変更が可能である。
例えば、第２塗布部６は、基台部から突出する複数の毛束を備えた刷毛部に代えて、基台部から突出する複数のブラシ歯を備えたブラシ部であっても良い。また反対に第１塗布部５が、基台部から突出する複数の毛束を備えた刷毛部であっても良い。第１塗布部５が幅方向Ｙ’に有するブラシ歯列の列数は、５列に代えて１〜４列又は６列以上とすることもでき、好ましくは３列以上２０列以下であり、より好ましくは３列以上１０列以下である。
【００３２】
また、柄部２及び支持基部３は、それぞれ、柄部２の回転軸Ｓに直交する断面が、上下方向に長い形状でなくても良く、例えば、回転軸Ｓに直交する断面が、中空又は中実の円形であっても良い。また柄部２は、上下方向Ｚの上縁部及び下縁部が直線状に代えて上方に凸に湾曲した曲線等であっても良い。
毛髪処理剤塗布具によって毛髪に塗布する毛髪処理剤は、染毛剤の他、脱色剤、トリートメント剤、パーマ剤、マニキュア剤等であっても良い。また、毛髪処理剤は、アルカリ剤を含有する第１剤と、酸化剤を含有する第２剤とを混合して使用する二剤型の毛髪処理剤であっても良いし、一剤型の毛髪処理剤であっても良い。
二剤式の毛髪処理剤としては各種公知のものを利用でき、毛髪処理剤を構成する第１剤及び第２剤も、その毛髪処理剤を構成する第１剤及び第２剤として公知のものを特に制限なく用いることができる。また、毛髪処理剤により処理する「毛髪」は、ヒトの頭髪であることが好ましいが、犬や猫などのペットの頭部の頭髪や頭部以外の体毛であっても良い。
【符号の説明】
【００３３】
１  毛髪処理剤塗布具
２  柄部
３  支持基部
４  櫛部
４１  櫛歯台
４２  櫛歯
４８  基面
５  第１塗布部
５１  ブラシ台
５２，５５  ブラシ歯
５８  基面
６  第２塗布部
６１  基台部
６２  毛束
Ｃ６  中心位置
Ｓ  柄部の回転軸
【図１】
2017070625.tif 000003
【図２】
2017070625.tif 000004
【図３】
2017070625.tif 000005
【図４】
2017070625.tif 000006
【図５】
2017070625.tif 000007